(57)【特許請求の範囲】
【請求項１】
銅電解精錬工程における電解槽から吊り上げられた電極板から滴下する、電解液、及び／又は前記電解液中に含まれる固形物を前記電解槽の上で受け止める液受容器と、
前記液受容器を、前記吊り上げの方向に対して垂直な方向である水平方向において、前記電極板を昇降させる場合に前記液受容器を前記昇降の妨げにならない位置に移動させ、前記電極板が吊り上げられた場合に前記液受容器を前記電極板の真下に移動させる水平移動装置と、
前記液受容器を傾転する傾転装置と、
を備えることを特徴とする電極板の液受装置。
【請求項２】
前記電解槽は銅電解精錬工程の清浄電解槽であることを特徴とする請求項１記載の電極板の液受装置。
【請求項３】
前記傾転装置は、前記電解液及び前記固形物の受け止め時に前記液受容器を水平に維持し、前記電解液及び前記固形物の排出時に前記液受容器を傾転することを特徴とする請求項１または２に記載の電極板の液受装置。
【請求項４】
前記傾転装置は、傾転時に前記液受容器を４５〜８５°まで傾斜させることを特徴とする請求項１から３のいずれか一項に記載の電極板の液受装置。
【請求項５】
前記液受容器の傾転時に、前記液受容器を洗浄する洗浄装置を備えたことを特徴とする請求項１から４のいずれか一項に記載の電極板の液受装置。
【請求項６】
前記洗浄装置は、前記液受容器の傾斜時に、傾斜面に洗浄水を流すことを特徴とする請求項５記載の電極板の液受装置。
【請求項７】
銅電解精錬工程における電解槽から電極板を吊り上げ、
前記吊り上げの方向に対して垂直な方向である水平方向において、前記電極板を昇降させる場合に液受容器を前記昇降の妨げにならない位置に移動させ、前記電極板が吊り上げられた場合に前記液受容器を前記電極板の真下に移動させることにより、前記電極板から滴下する、電解液、及び／又は前記電解液中に含まれる固形物を前記液受容器により前記電解槽の上で受け止め、
前記液受容器を傾斜することを特徴とする液受容器の液体及び固形物の排出方法。
【請求項８】
前記電解槽は銅電解精錬工程の清浄電解槽であることを特徴とする請求項７記載の液受容器の液体及び固形物の排出方法。
【請求項９】
前記液受容器の傾斜時に、前記液受容器の傾斜面へ洗浄水を流すことを特徴とする請求項７または８に記載の液受容器の液体及び固形物の排出方法。
【発明の詳細な説明】
【技術分野】
【０００１】
本発明は、電極板の液受装置ならびに液受容器の液体及び固形物の排出方法に関する。
【背景技術】
【０００２】
銅の電解精錬では、粗銅をアノード、銅種板をカソードとして一般電解槽の電解液に装入し、電解液に通電することにより、粗銅から銅を溶出させて銅種板に電着させ、製品電気銅を生産する。アノード、カソード（総じて電極板という。）の移動、交換には、一般電解槽から電極板を吊り上げる懸吊機構と、吊り上げた電極板を懸吊機構ごと搬送する走行台車と、を備えたクレーン装置が用いられている。このようなクレーン装置は、電極板を吊り上げた際に滴下する電解液を受け止める液受装置を備えている。例えば、特許文献１の電解クレーン用雫受装置は、電極板を垂下支持する電極板ビームに上端が軸着された揺動アームの下端に雫受皿を備え、揺動アームを揺動して、雫受皿の電極板下方への設置と上方への退避を行う。また、特許文献２には、被処理物を引き上げた際に受樋を傾動し、被処理物の下方に位置して被処理物からの液雫を受け止め、被処理物を液槽内に浸漬する際に受樋を立ち上げる装置が示されている。
【先行技術文献】
【特許文献】
【０００３】
【特許文献１】特開昭６１−１４９５００号公報
【特許文献２】実公昭６１−３６８号公報
【発明の概要】
【発明が解決しようとする課題】
【０００４】
ところで、銅の電解精錬工程において、粗銅から余剰分のＣｕとともに、Ａｓ，Ｓｂ，Ｂｉ等の不純物が電解液に溶出する。これらの不純物を一般電解槽から除去するために、一部の電解液を抜き取り、電解液を浄化する浄液工程に送る。浄液工程では脱銅電解槽において液中の銅を減量し、続いて、清浄電解槽において不純物を除去して、一般電解槽へ戻すことが行われている。この清浄電解槽においても、一般電解槽で用いられているものと同様のクレーン装置により、電極板の移動、交換が行われる。清浄電解槽から吊り上げられた電極板からは電解液が滴下するため、電解液を受ける液受が必要であり、一般電解槽において用いられているものと同等の液受により滴下する電解液を受け止めることが可能である。
【０００５】
ところが、上記の通り、清浄電解槽は、一般電解槽において粗銅から溶出する不純物を除去する電解槽であるため、電極板に多くの不純物が付着する。このため、電極板を吊り上げた際に電解液とともに多くの不純物が液受に落下する。したがって、電極板の移動、交換の度に、液受に固形物が堆積することとなる。
【０００６】
従来から用いられている一般電解槽の液受の底面には、通常、栓がされた液抜き用の排出口が設けられており、底面の栓を抜くことにより、液受容器内に溜まった電解液を排出する。しかしながら、上記のとおり、清浄電解槽の液受には固形物が堆積するため、一般電解槽の液受を適用した場合、同様の排出口から排出する場合、流動性の低い固形物が排出口まで流れないことが考えられる。また、排出口まで固形物がたどり着いても、固形物が排出口に詰まり、溜まった電解液や固形物の排出を妨げることが考えられる。
【０００７】
そこで、本発明は、銅電解精錬工程における清浄電解槽から吊り上げられた電極板の液受容器から容易に固形物を排出する電極板の液受装置ならびに液受容器の液体及び固形物の排出方法を提供することを課題とする。
【課題を解決するための手段】
【０００８】
かかる課題を解決する本発明の電極板の液受装置は、銅電解精錬工程における電解槽から吊り上げられた電極板から滴下する、電解液、及び／又は前記電解液中に含まれる固形物を前記電解槽の上で受け止める液受容器と、前記液受容器を、前記吊り上げの方向に対して垂直な方向である水平方向において、前記電極板を昇降させる場合に前記液受容器を前記昇降の妨げにならない位置に移動させ、前記電極板が吊り上げられた場合に前記液受容器を前記電極板の真下に移動させる水平移動装置と、前記液受容器を傾転する傾転装置と、を備えたことを特徴とする。この電極板の液受装置によると、液受容器を傾転することにより、液受容器に堆積した固形物を容易に排出することができる。
【０００９】
この電極板の液受装置において、前記電解槽は銅電解精錬工程の清浄電解槽としてもよい。特に、清浄電解槽では、電極板に多くの不純物が付着するため、液受容器に多くの不純物が落下し堆積する。この発明の構成のように、液受容器を傾転することは、多量の堆積物を排出するために効果的である。また、前記電解槽は銅電解製錬工程の脱銅電解槽であってもよい。
【００１０】
この電極板の液受装置において、前記傾転装置は、前記電解液及び前記固形物の受け止め時に前記液受容器を水平に維持し、前記電解液及び前記固形物の排出時に前記液受容器を傾転することとしてもよい。液受装置は、液受容器の傾転する動作により、液受容器に堆積した固形物を排出することができる。
【００１１】
この電極板の液受装置において、前記傾転装置は、傾転時に前記液受容器を４５〜８５°まで傾斜させてもよい。さらに、傾転時の傾斜角を５０°とすることが好ましい。このような角度で液受容器を傾斜することにより、固形物の排出を容易にするとともに安全に作業することができる。
【００１２】
この電極板の液受装置は、前記液受容器の傾転時に、前記液受容器を洗浄する洗浄装置を備えてもよい。また、前記洗浄装置は、前記液受容器の傾斜時に、傾斜面に洗浄水を流すこととしてもよい。このような電極板の液受装置によると、洗浄することにより、固形物を容易に排出することができる。
【００１３】
また、本発明の液受容器の液体及び固形物の排出方法は、銅電解精錬工程における電解槽から電極板を吊り上げ、前記吊り上げの方向に対して垂直な方向である水平方向において、前記電極板を昇降させる場合に液受容器を前記昇降の妨げにならない位置に移動させ、前記電極板が吊り上げられた場合に前記液受容器を前記電極板の真下に移動させることにより、前記電極板から滴下する、電解液、及び／又は前記電解液中に含まれる固形物を前記液受容器により前記電解槽の上で受け止め、前記液受容器を傾斜することを特徴とする。この液受容器の液体及び固形物の排出方法によると、液受容器に堆積した固形物を容易に排出することができる。
【００１４】
この液受容器の液体及び固形物の排出方法において、前記電解槽は銅電解精錬工程の清浄電解槽としてもよい。特に、清浄電解槽の液受容器には、多くの固形物が落下し堆積する。この発明の構成のように、液受容器を傾転することは、多量の堆積物を排出するために効果的である。また、前記電解槽は銅電解製錬工程の脱銅電解槽であってもよい。
【００１５】
この液受容器の液体及び固形物の排出方法において、前記液受容器の傾斜時に、前記液受容器の傾斜面へ洗浄水を流すこととしてもよい。この液受容器の液体及び固形物の排出方法によると、洗浄水を流すことにより、固形物を容易に排出することができる。
【発明の効果】
【００１６】
本発明の電極板の液受装置ならびに液受容器の液体及び固形物の排出方法によると、液受容器に堆積した固形物を容易に排出することができる。
【図面の簡単な説明】
【００１７】
【図１】銅の電解精練工程における一部の電解液の移動の様子を示した図である。
【図２】実施の形態における懸吊装置の平面図である。
【図３】実施の形態における懸吊装置の正面図である。
【図４】実施の形態における懸吊装置の側面図である。
【図５】図３における懸吊機構と液受装置を拡大した図である。
【図６】水平移動装置を示した説明図である。
【図７】水平移動装置により液受容器が移動する様子を説明した図であって、（ａ）は、懸吊機構の真下に液受容器が位置している様子を示し、（ｂ）は、懸吊機構の真下から走行方向に液受容器が移動した様子を示している。
【図８】液受容器が傾転した状態を示した図である。
【図９】実施例と異なる形態の傾転装置の模式図である。
【発明を実施するための形態】
【００１８】
以下、本発明を実施するための形態を図面と共に詳細に説明する。図１は銅の電解精練工程における一部の電解液の移動の様子を示した図である。図２から図４は本実施の形態の懸吊装置１の構成図である。図２は懸吊装置１の平面図であり、図３は懸吊装置１の正面図である。図４は懸吊装置１の側面図である。
【００１９】
銅の電解精錬工程では、粗銅をアノード、銅種板をカソードとして通電した一般電解槽２において、余剰分のＣｕと、Ａｓ，Ｓｂ，Ｂｉ等の不純物が電解液に溶出する。図１に示すように、一般電解槽２内の一部の電解液は、脱銅電解槽３へ送られて、液中の銅が減らされた後、清浄電解槽４へ送られる。清浄電解槽４では、不溶性のアノード等の電極板５を装入して通電し、電解液に含まれる不純物が除去される。不純物の除去された電解液は、再び一般電解槽２へ戻される。
【００２０】
本実施の形態の懸吊装置１は、上記の清浄電解槽４において、電極板５の移動、交換を行うクレーン装置である。図２から図４に示すように、懸吊装置１は、懸吊機構１０、走行台車２０、液受装置３０を備えている。懸吊機構１０は、清浄電解槽４の上方から電極板５を昇降自在に懸吊する機構を備えた装置である。懸吊機構１０は、２台のクレーン１１と、走行台車２０の上を移動する横行台車１３とを備えている。クレーン１１は、４ｔ荷重用のホイストクレーンであり、横行方向（図２、図３紙面における矢示ａ方向）に並べて配置されている。クレーン１１にはフック１２が懸架されている。フック１２は、電極板５を架けるハンガーフック（図示しない）を懸架可能である。クレーン１１の常用の揚程は７６５０ｍｍである。横行台車１３は４台の横行サドル１４を組み合わせて構成されている。横行サドル１４は、横行車輪１５と、横行車輪１５を駆動する横行モータ１６と、を備えている。横行台車１３は、２台のクレーン１１を搭載し、後述する走行台車２０のガーダレール２５上を横行方向に移動する。このような懸吊機構１０は、横行方向に３５００〜４０００ｍｍ、走行方向（図２紙面における矢示ｂ方向）に１８００〜２２００ｍｍであって、重量が２２００ｋｇである。
【００２１】
走行台車２０は、懸吊機構１０、及び液受装置３０を搭載し、平行に並んだ２本の走行レール２９上を水平方向へ移動するクレーンガーダである。走行台車２０は、走行サドル２１、ガーダビーム２４、歩道２６を備えている。なお、走行レール２９間のスパンｓは１００００ｍｍである。
【００２２】
走行サドル２１は走行車輪２２と、走行車輪２２を駆動する走行モータ２３と、を備えている。走行サドル２１は走行レール２９上に搭載されている。２本のガーダビーム２４は、２本の走行レール２９上の走行サドル２１間に、横行方向に平行に架け渡されている。ガーダビーム２４上にはガーダレール２５が形成されており、ガーダレール２５間のレールゲージｇは２０００ｍｍである。歩道２６は、連結した走行サドル２１間に架け渡されており、作業員が安全に清浄電極槽４の上を渡れるように柵２７を備えて構成されている。走行台車の全長は１０２００〜１０６００ｍｍ、走行方向幅が４４００〜４８００ｍｍである。
【００２３】
走行台車２０の上には前述の懸吊機構１０が搭載される。走行台車２０は走行レール２９上を走行方向に移動することができ、懸吊機構１０は横行台車１３により、ガーダレール２５上を横行方向に移動することができる。このため、懸吊機構１０は、水平方向を自在に移動することができる。なお、懸吊機構１０、走行台車２０は、ここで説明した構成に限られず、清浄電解槽４から電極板５を吊り上げ、電極板５を移動することができる構成であれば、いかなる構成であってもよい。
【００２４】
図５は図３における懸吊機構１０と液受装置３０を拡大した図である。図４、図５に示すように、液受装置３０は、液受容器３１、水平移動装置３２、傾転装置３３を備えている。これらの液受容器３１、水平移動装置３２、傾転装置３３は、フレーム３４により支持されている。フレーム３４は、横行台車１３に接合されて懸吊されている。したがって、液受装置３０は、懸吊機構１０とともに水平方向へ移動する。また、フレーム３４の走行方向の中心は、懸吊機構１０のクレーン１１の真下から走行方向に距離を設けて位置している。フレーム３４は、ステンレス鋼（例えば、ＳＵＳ３０４）の梁を縦、横、高さ方向に組み合わせて構成されている。これにより、液受装置３０は吊り上げた電極板５から滴下する電解液の跳ねによる錆を防止している。また、フレーム３４は走行方向に２８００〜３４００ｍｍ、横行方向に３６００〜４０００ｍｍ、鉛直方向に１７００〜１９００ｍｍの大きさである。フレーム３４の重量は３７０ｋｇである。
【００２５】
液受容器３１は、清浄電解槽４から吊り上げられた電極板５から滴下する、電解液、及び電解液中に含まれる固形物を清浄電解槽４の上で受け止める容器である。液受容器３１には傾転時の支点となる軸部３１１、傾転装置３３との取り合い部分であるハンガー部３１２を備えている。軸部３１１は液受容器３１の傾転動作の支点となるため、液受容器３１の端部３１ａに設けられている。ハンガー部３１２は液受容器３１の走行方向中心に設けられている。軸部３１１、ハンガー部３１２は、横行方向の両側に一箇所ずつ設けられている。このような液受容器３１は、厚さ３．２ｍｍのステンレス鋼ＳＵＳ３１６Ｌにより形成されている。液受容器３１の大きさは、奥行２８５０ｍｍ、横幅１５６０ｍｍ、深さ１５０ｍｍである。液受容器３１の容量は、水比重に換算して６６７ｋｇ、液受容器３１の自重は１６０ｋｇである。なお、液受容器３１の傾転時の支点は、液受容器３１の回転半径が傾転動作を小さくするような位置にあれば、液受容器３１の近傍に設けることとしてもよい。
【００２６】
水平移動装置３２は、液受容器３１を走行方向に水平移動する機構である。図６は、水平移動装置３２の駆動部を示した説明図である。図７は、水平移動装置３２により液受容器３１が移動する様子を説明した図である。図７（ａ）は、懸吊機構１０の真下に液受容器３１が位置している様子を示し、図７（ｂ）は、懸吊機構１０の真下から走行方向に液受容器３１が移動した様子を示している。図６に示すように、水平移動装置３２は、チェーン３２１、チェーン３２１が架けられたスプロケット３２２，３２３、ギヤモータ３２４、ギヤモータ３２４の回転をスプロケット３２３へ伝達するチェーン３２５を備えている。チェーン３２１はスプロケット３２３が回転するとスプロケット３２３の回転に合わせてスプロケット３２２，３２３回りを回転する。チェーン３２１の一部に液受容器３１の傾転動作しない台座部分が連結されており、チェーン３２１が回転することにより、液受容器３１が走行方向に移動する構成となっている。ギヤモータ３２４は正回転と逆回転が可能で、液受容器３１の移動方向に合わせて回転を変更する。また、水平移動装置３２には液受容器の台座部分の移動範囲を制限するため、リミットスイッチ３２６，３２７を備えている。リミットスイッチ３２６，３２７の位置へチェーン３２１の特定の部位が移動すると、スイッチが入り、チェーン３２１が回転していた方向にそれ以上回らないようにギヤモータ３２４が停止する。これにより、液受容器３１がフレーム３４の外へ移動することを防いでいる。このような水平移動装置３２は、電解液の跳ねを受けることを考慮して、錆を防止するために、ステンレス鋼（例えばＳＵＳ３０４）で形成することとしてもよい。また、水平移動装置３２は上記説明した構成以外であってもよい。水平移動装置３２は、液受容器３１を水平方向に移動可能に支持し、電極板を吊り上げた際に液受容器３１を懸吊機構１０の真下へ移動するものであれば、その駆動手段や構成は問わない。電極板５から滴下する液を受ける場合には、液受容器３１を図７（ａ）の位置にする。また、電極板５を昇降する場合には、液受容器３１を図７（ｂ）の位置にする。このように、水平移動装置３２を備えたことにより、電極板５の吊り上げ時の妨げとならないように液受容器３１を移動することができる。
【００２７】
傾転装置３３は、液受容器３１を傾転する装置である。図４に示すように、傾転装置３３は、チェーンブロック３３１、走行方向に架けられているトロリ走行レール３３２、トロリ走行レール３３２に沿って移動するトロリ３３３を備えている。チェーンブロック３３１、トロリ走行レール３３２、トロリ３３３は、横行方向両側に１つずつ設けられている。チェーンブロック３３１は、チェーンで吊り下げたフック３３４を備えており、フック３３４は、液受容器３１のハンガー部３１２に連結されている。
【００２８】
次に、傾転装置３３の動作を説明する。図８は液受容器３１が傾転した状態を示した図である。また、図８には、液受容器３１に溜まった電解液と固形物とを排出する排出槽５０を示している。図８に示すように、チェーンブロック３３１がフック３３４を吊り上げることにより、液受容器３１が軸部３１１を中心に傾転する。傾転時のハンガー部３１２の移動軌跡は、円弧状になるので、チェーンブロック３３１がフック３３４を吊り上げる動作に連動してトロリ３３３が軸部３１１方向に水平移動する。チェーンブロック３３１による吊り上げ動作とトロリ３３３による水平方向の移動動作は、チェーンブロック３３１が備える制御回路によって管理されている。
【００２９】
液受容器３１の傾転角度は、電解液に含まれる固形物の内容、乾燥具合により調整することができる。液受容器３１の傾転角度の一例を説明すると、固形物の重量の半分よりも大きな力が落下する方向に働く４５°以上としてもよい。また、液受容器３１の傾転角度は、傾転した液受容器３１を支持する安全面を考慮して、傾転する角度を８５°以下とすることとしてもよい。なお、急な角度とすると、電極液や固形物の跳ね返りが多くなるため、本実施例では、跳ね返りを減少することを考慮して、５０°を採用する。
【００３０】
傾転装置３３のチェーンブロック３３１とトロリ３３３は、基本的に、左右両方を同時に動作し、同時に停止する。左右両方の動作特性の違いにより、傾転動作中の液受容器３１が軸部３１１を回転中心とする回転方向以外に傾くことが想定されるが、その対応策として起し端、伏せ端に設けたリミットスイッチにより動作限界を設定している。また、チェーンブロック３３１、トロリ３３３は片側のみ単独で動作することもできる。この場合、チェーンブロック３３１が備える制御回路の設定を変更する。なお、チェーンブロック３３１に用いられるチェーンは、φ７．１のものを採用した場合、強度のある無電解ニッケルメッキチェーンを採用することが好ましい。また、トロリ走行レール３３２は電解液の跳ねを考慮して錆に強いＩ型ステンレス鋼（例えば、ＳＵＳ３０４）とすることが好ましい。
【００３１】
また、液受装置３０は、液受容器３１を洗浄するための洗浄液を蓄えるタンクとタンク内の洗浄液を液受容器３１へ放水する放水用ノズルとを有する洗浄装置を備えていてもよい。タンクに蓄える洗浄液は工業用水でもよいし、堆積、または析出した固形物を溶解する液でもよい。また、液受装置３０は液受容器３１の重量を計測する重量計を備えていてもよい。重量計の計測値により液受容器３１内の電解液、及び固形物の量を検出し、検出した液受容器３１内の電解液、及び固形物の量に基づいて、液受容器３１からの電解液、及び固形物の排出作業を実施してもよい。
【００３２】
このような液受装置３０は、電解槽の上方から電極板を昇降自在に懸吊する懸吊機構と、懸吊機構を搭載して水平方向へ移動する走行台車を備えた従来から用いられている懸吊装置に組み込むことができる。すなわち、既存の懸吊装置に対して、液受装置３０を導入することができる。このような既存の装置に組み込むことにより、新規に液受装置を備えた懸吊装置を導入するよりも費用を抑えることができる。
（実施例）
【００３３】
次に、清浄電解槽４において上記の実施の形態の懸吊装置１による電解液に装入する電極板５の移動、交換作業について説明する。初めに、移動、または交換の対象となっている電極板５の真上にクレーン１１が位置するように、横行台車１３と走行台車２０とを移動する。横行台車１３と走行台車２０の移動が完了したら、次に、液受装置３０の液受容器３１をギヤモータ３２４側に移動する（図７（ｂ）の状態）。液受装置３０を移動することにより、液受装置３０は、清浄電解槽４の液面まで下降するフック１２の下降の邪魔にならない。液受容器３１の移動が完了したら、フック１２を降ろして電極板を把持し、クレーン１１を巻き上げて電極板を吊り上げる。電極板の下端が液受容器３１の上方になるまで電極板を吊り上げたら、液受容器３１を電極板の真下へ移動する（図７（ａ）の状態）。この状態で、横行台車１３による横行方向への移動、及び走行台車２０による走行方向への移動により、電極板を移動する。
【００３４】
このような電極板の移動、交換の作業において、清浄電解槽４に装入されている電極板を吊り上げ、移動することにより、電極板に付着した電解液が液受容器３１に滴下して溜まる。電解液中に含まれた不純物、固形物が含まれているため、液受容器３１の底へ堆積、または析出する。析出する固形物は電解液の主成分である硫酸銅や、銅、または電解液に含まれる不純物、例えば、Ａｓ，Ｓｂ，Ｂｉ等が挙げられる。
【００３５】
液受容器３１に電解液が所定量蓄積すると、溜まった電解液と固形物の排出作業を行う。排出作業をする際に、クレーン１１が電極板５を懸吊している場合には、電極板を目的地へ運んだ後、排出作業を行う。排出作業は、以下の手順で進める。初めに、懸吊装置１を排出槽５０の位置まで移動する。排出槽５０には、シュート部５１と分離槽５２とが設けられており、シュート部５１の開口部の真上に液受容器３１の端部３１ａが位置するように移動する。懸吊装置１の移動が完了したら、傾転装置３３により、液受容器３１を５０°傾転する（図８の状態）。液受容器３１が傾転すると、液受容器３１内に蓄積した電解液、及び固形物が排出槽５０のシュート部５１へ流れ落ちる。液受容器３１の傾転角度が５０°まで到達した際に固形物が排出されない場合は、傾転する角度をさらに上げるようにしてもよい。シュート部５１へ流れ落ちた電解液と固形物は、その下の分離槽５２へ落下する。分離槽５２では固形物が下部へ堆積し、固形物の上側に電解液が溜まる。なお、液受容器３１の傾転角度は、析出した固形物の成分に応じて変更してもよい。
【００３６】
上記の通り、実施例で説明した液受装置３０は、銅電解精錬工程における清浄電解槽４から吊り上げられた電極板５から滴下する、電解液、及び電解液中に含まれる固形物を清浄電解槽４の上で受け止める液受容器３１と、液受容器３１を水平方向へ移動する水平移動装置３２と、液受容器３１を傾転する傾転装置３３と、を備える。液受装置３０は、液受容器３１を傾転することにより、液受容器３１に堆積した固形物を、重力を利用して容易に排出することができる。また、液受装置３０は排出用の穴や流路を有していないため、排出する固形物が詰まることがない。このため、詰まり除去のための作業が必要なく、作業員の負担を軽減する。
（その他の実施形態）
【００３７】
上記実施の形態では傾転装置３３は、チェーンブロック３３１とトロリ３３３を利用して液受容器３１を傾転することを説明したが、本発明において、傾転装置は上記形態に限定されない。以下では、シリンダを利用する傾転装置について説明する。
【００３８】
図９は傾転装置１３０の模式図である。傾転装置１３０は、液受容器３１とシリンダ１３２とを備えている。図９（ａ）は液受容器３１の水平時の状態を示し、図９（ｂ）は液受容器３１の傾転時の状態を示している。シリンダ１３２の基端部は、液受容器３１の軸部３１１の上方に設けられた支点１３３に回転自在に連結している。シリンダ１３２の先端は、液受容器３１の軸部３１１が設けられた端部３１ａとは反対側の端部３１ｂに、回転自在に連結している。液受容器３１が水平の状態にあるとき、シリンダ１３２は伸長している。シリンダ１３２を縮小させることにより、液受容器３１が傾転する。シリンダ１３２は電動式、油圧式、その他駆動方式はいかなるものでも構わない。
【００３９】
さらに、本実施の形態では、懸吊装置１は、銅の電解精錬工程の清浄電解槽４における電極板５の移動、交換を行う装置であることを説明したが、銅の電解製錬工程の一般電解槽や脱銅電解槽において本実施の形態の懸吊装置１を用いてもよい。特に、液受装置３０を銅の電解製錬工程の一般電解槽や脱銅電解槽に用いることとしてもよい。また、銅以外の金属の電解精錬工程における清浄電解槽において、本実施の形態の懸吊装置１を利用してもよい。また、銅以外の金属の電解精錬工程における一般電解槽や脱銅電解槽において、本実施の形態の懸吊装置１を利用してもよい。
【００４０】
上記実施例は本発明を実施するための例にすぎず、本発明はこれらに限定されるものではなく、これらの実施例を種々変形することは本発明の範囲内であり、さらに本発明の範囲内において、他の様々な実施例が可能であることは上記記載から自明である。
【符号の説明】
【００４１】
１  懸吊装置
４  清浄電解槽
５  電極板
１０  懸吊機構
２０  走行台車
３０  液受装置
３１  液受容器
３２  水平移動装置
３３  傾転装置
３５  洗浄装置
３６  振動装置
３１１  軸部（支点）
【図１】
0005801223.tif 000002
【図２】
0005801223.tif 000003
【図３】
0005801223.tif 000004
【図４】
0005801223.tif 000005
【図５】
0005801223.tif 000006
【図６】
0005801223.tif 000007
【図７】
0005801223.tif 000008
【図８】
0005801223.tif 000009
【図９】
0005801223.tif 000010